(57)【要約】【課題】導電性軸受装置において、安定した導電性を確保すると共に、組立及び導電性磁性流体の注入を容易にし、また、回転部分の軽量化を可能にする。【解決手段】シャフト部材２に、一対の玉軸受４によってスペーサ３を回転可能に支持する。シャフト部材２の外周部に、一対のワッシャ１２及び永久磁石１３によって保持溝９を形成し、永久磁石１３の磁力により保持溝９内に導電性磁性流体１０を保持する。スペーサ３に、保持溝９に対向させて開口部１４を設け、開口部１４に蓋部材１５を取付け、蓋部材１５に固定された導電ピン１１を保持溝９内の導電性磁性流体１０中に挿入する。これにより、安定した導電性を確保すると共に、回転部分であるスペーサ３の軽量化が可能になる。また、組立時に外部から開口部１４を通して導電性磁性流体１０を保持溝９内に注入することができるので、組立が容易になる。【選択図】図１
2018159400.tif 000002
【特許請求の範囲】
【請求項１】
シャフト部材と、前記シャフト部材に対して共軸で回転又は回動可能に支持されるスリーブ部材と、前記シャフト部材側と前記スリーブ部材側とを電気的に接続する導電手段とを備える導電性軸受装置であって、
前記導電手段は、前記シャフト部材の外周部又は前記スリーブ部材の内周部のいずれか一方に周方向に沿って設けられる保持溝と、該保持溝内に保持される導電性磁性流体と、前記導電性磁性流体を前記保持溝内に保持するための永久磁石と、前記シャフトの外周部又は前記スリーブの内周部のいずれか他方側から突出して前記保持溝内に保持される前記導電性磁性流体中に挿入される導電性の突出部と、を備えることを特徴とする導電性軸受装置。
【請求項２】
前記シャフト部材と前記スリーブ部材とは、軸方向に間隔をもって配置された一対の軸受によって支持され、前記保持溝は、前記一対の軸受の間に配置され、前記シャフト部材又は前記スリーブ部材には、前記保持溝に対向して配置されて外部からアクセス可能な開口部が設けられ、該開口部には、蓋部材が取付けられ、該蓋部材に前記突出部が設けられていることを特徴とする請求項１に記載の導電性軸受装置。
【請求項３】
前記保持溝は、前記シャフト部材の外周部又は前記スリーブ部材の内周部に軸方向に間隔をもって固定される一対のワッシャによって形成され、該一対のワッシャの間に前記永久磁石が配置されていることを特徴とする請求項１又は２に記載の導電性軸受装置。
【請求項４】
前記保持溝は、前記シャフト部材に設けられ、前記突出部は、前記スリーブ部材に設けられていることを特徴とする請求項１乃至３のいずれか１項に記載の導電性軸受装置。
【請求項５】
前記保持溝は、前記スリーブ部材に設けられ、前記突出部は、前記シャフト部材に設けられていることを特徴とする請求項１乃至３のいずれか１項に記載の導電性軸受装置。
【請求項６】
請求項１乃至５のいずれか１項に記載の導電性軸受装置であって、ハードディスクドライブの磁気ディスク上で磁気ヘッドを移動させるスイングアームを回動可能に支持することを特徴とするハードディスクドライブ用ピボットアセンブリ。
【請求項７】
請求項６に記載のハードディスクドライブ用ピボットアセンブリを備えることを特徴とするハードディスクドライブ。
【発明の詳細な説明】
【技術分野】
【０００１】
本発明は、互いに回転可能に支持されるシャフト部材側とスリーブ部材側との間で導電性を有する導電性軸受装置、これを用いたハードディスクドライブ用ピボットアセンブリ、及び、ハードディスクドライブに関するものである。
【背景技術】
【０００２】
コンピュータ等の記憶装置として用いられるハードディスクドライブの磁気ディスク及び可動磁気ヘッドやビデオレコーダの回転磁気ヘッドドラム及び磁気テープは、静電気が帯電すると、エラーやノイズの原因となるため、これらに帯電する電荷をアースにより逃がす必要がある。
【０００３】
そこで、ハードディスクドライブの磁気ヘッドを先端に取付けたスイングアームを回動可能に支持する軸受装置であるピボットアセンブリや、ビデオレコーダの回転磁気ヘッドドラムを支持する軸受装置において、互いに回転可能に支持されるシャフトとスリーブとの間に導電性を持たせて、磁気ディスク及び磁気ヘッド、あるいは、回転磁気ヘッドドラム及び磁気テープに帯電する電荷を、軸受装置を通して逃がすことにより、静電気の帯電によるエラー及びノイズの発生を抑制するようにしたものがある。
【０００４】
例えば、特許文献１及び２には、軸受装置のハウジングとシャフトとの間にマグネットによって導電性磁性流体を保持して、回転磁気ヘッドドラムに帯電した電荷をこの導電性磁性流体を介して逃がすようにした軸受装置が開示されている。
【先行技術文献】
【特許文献】
【０００５】
【特許文献１】特開昭６４−７９４１１号公報
【特許文献２】特開昭６４−７９４１３号公報
【発明の概要】
【発明が解決しようとする課題】
【０００６】
特許文献１及び２に記載されているような導電性磁性流体を利用した導電性軸受装置においては、安定した導電性の確保と共に、製造、組立の容易性、回転部分の軽量化、導電性磁性流体の安定した保持性の確保が要求されている。
【０００７】
本発明は、上記の点に鑑みてなされたものであり、安定した導電性を確保すると共に、組立及び導電性磁性流体の注入が容易であり、また、回転部分の軽量化が可能な導電性軸受装置、これを用いたハードディスクドライブ用ピボットアセンブリ、及び、ハードディスクドライブを提供することを目的とする。
【課題を解決するための手段】
【０００８】
上記の課題を解決するために、請求項１に係る発明は、シャフト部材と、前記シャフト部材に対して共軸で回転又は回動可能に支持されるスリーブ部材と、前記シャフト部材側と前記スリーブ部材側とを電気的に接続する導電手段とを備える導電性軸受装置であって、
前記導電手段は、前記シャフト部材の外周部又は前記スリーブ部材の内周部のいずれか一方に周方向に沿って設けられる保持溝と、該保持溝内に保持される導電性磁性流体と、前記導電性磁性流体を前記保持溝内に保持するための永久磁石と、前記シャフトの外周部又は前記スリーブの内周部のいずれか他方側から突出して前記保持溝内に保持される前記導電性磁性流体中に挿入される導電性の突出部と、を備えることを特徴とする。
請求項２に係る発明の導電性軸受装置は、上記請求項１の構成において、前記シャフト部材と前記スリーブ部材とは、軸方向に間隔をもって配置された一対の軸受によって支持され、前記保持溝は、前記一対の軸受の間に配置され、前記シャフト部材又は前記スリーブ部材には、前記保持溝に対向して配置されて外部からアクセス可能な開口部が設けられ、該開口部には、蓋部材が取付けられ、該蓋部材に前記突出部が設けられていることを特徴とする。
請求項３に係る発明の導電性軸受装置は、上記請求項１又は２の構成において、前記保持溝は、前記シャフト部材の外周部又は前記スリーブ部材の内周部に軸方向に間隔をもって固定される一対のワッシャによって形成され、該一対のワッシャの間に前記永久磁石が配置されていることを特徴とする。
請求項４に係る発明の導電性軸受装置は、上記請求項１乃至３のいずれか１項の構成において、前記保持溝は、前記シャフト部材に設けられ、前記突出部は、前記スリーブ部材に設けられていることを特徴とする。
請求項５に係る発明の導電性軸受装置は、上記請求項１乃至３のいずれか１項の構成において、前記保持溝は、前記スリーブ部材に設けられ、前記突出部は、前記シャフト部材に設けられていることを特徴とする。
請求項６に係る発明のハードディスクドライブ用ピボットアセンブリは、上記請求項１乃至５に記載の導電性軸受装置であって、ハードディスクドライブの磁気ディスク上で磁気ヘッドを移動させるスイングアームを回動可能に支持することを特徴とする。
請求項７に係る発明のハードディスクドライブは、上記請求項６に記載のハードディスクドライブ用ピボットアセンブリを備えることを特徴とする。
【発明の効果】
【０００９】
請求項１に係る発明の導電性軸受装置によれば、永久磁石によって保持溝内に保持される導電性磁性流体、及び、この導電性磁性流体中に挿入される導電ピンを介して、シャフト部材側とスリーブ部材側とを電気的に接続して、安定した導電性を得ることができる。
請求項２に係る発明の導電性軸受装置によれば、組立時に外部から開口部を通して導電性磁性流体を保持溝に注入することができる。
請求項３に係る発明の導電性軸受装置によれば、一対のワッシャによって永久磁石を保持することができ、また、導電性磁性流体は、一対のワッシャをヨークとして永久磁石の磁力により保持溝内に保持されるので、保持性が高められる。
請求項４に係る発明の導電性軸受装置によれば、シャフト部材を固定側とし、スリーブ部材を回転側とする場合、回転側の慣性質量を小さくすることができ、また、保持溝内に保持された導電性磁性流体に回転による遠心力が作用しないので、導電性磁性流体を確実に保持することができる。
請求項５に係る発明の導電性軸受装置によれば、シャフト部材を回転側とし、スリーブ部材を固定側とする場合、回転側の慣性質量を小さくすることができ、また、保持溝内に保持された導電性磁性流体に回転による遠心力が作用しないので、導電性磁性流体を確実に保持することができる。
請求項６に係る発明のハードディスクドライブ用ピボットアセンブリによれば、磁気ディスク及び磁気ヘッドに帯電する電荷を導電性軸受装置の導電性磁性流体を介して安定的に逃がすことができる。
請求項７に係る発明のハードディスクドライブによれば、磁気ディスク及び磁気ヘッドに帯電する電荷を導電性軸受装置の導電性磁性流体を介して安定的に逃がすことができる。
【図面の簡単な説明】
【００１０】
【図１】本発明の第１実施形態に係る導電性軸受装置の縦断面図である。
【図２】図１の導電性軸受装置の導電手段を拡大して示す縦断面図である。
【図３】図１の導電性軸受装置の組立工程を示す図である。
【図４】本発明の第１実施形態の変形例に係る導電性軸受装置の縦断面図である。
【図５】図４の導電性軸受が組込まれたハードディスクドライブ用ピボットアセンブリを一部破断して概略的に示す縦断面図である。
【図６】図５のピボットアセンブリが組込まれたハードディスクドライブを概略的に示す分解斜視図である。
【図７】本発明の第２実施形態に係る導電性軸受装置の縦断面図である。
【発明を実施するための形態】
【００１１】
以下、本発明の実施形態を図面に基づいて詳細に説明する。
本発明の第１実施形態について、主に図１乃至４を参照して説明する。
なお、本実施形態の導電性軸受装置は、便宜上、ハードディスクドライブの磁気ヘッドを支持するスイングアームに組み込まれるピボットアセンブリとして用いる軸受装置に好適なものとして説明するが、本発明は、このような用途に限定されるものではなく、ビデオレコーダの回転磁気ヘッドドラムを支持する軸受装置等の他の用途の軸受装置としても適用することができる。
【００１２】
図１に示すように、本実施形態に係る導電性軸受装置１は、シャフト部材２と、シャフト部材２の外周に共軸で設けられた円筒状のスリーブ部材であるスペーサ３と、シャフト部材２とスペーサ３との間に設けられて、これらを相対回転可能に支持する一対の玉軸受４（軸受）と、シャフト部材２側とスペーサ３側とを電気的に接続する導電手段５とを備えている。
【００１３】
シャフト部材２は、円筒状の軸部２Ａと、軸部２Ａの基端部（図１において下端部）に形成された軸部２Ａよりも大径のフランジ部２Ｂとを有し、軸部２Ａの先端（図１において上端）の外周部に環状のシールプレート７が取付けられている。スペーサ３は、一対の玉軸受４の外径より僅かに小さい外径を有し、その軸方向の両端部が一対の玉軸受４の外輪４Ａの端部にそれぞれ当接して、これらの外輪４Ａ間で挟持されて外輪４Ａと共に回転する。また、スペーサ３の内径は、シャフト部材２の軸部２Ａの外径よりも大きく、シャフト部材２の軸部２Ａとスペーサ３との間に環状空間Ｓが形成されている。
【００１４】
玉軸受４は、外輪４Ａと、内輪４Ｂと、これらの間に形成された軌道に装填される複数の転動体４Ｃと、複数の転動体４Ｃを円周方向に沿って所定間隔で保持する保持器４Ｄとを備える。玉軸受４は、外輪４Ａの両端部に環状のシール部材８が取付けられて、外輪４Ａと内輪４Ｂとの間をシールし、内部に適当量のグリースが封入されている。
【００１５】
一対の玉軸受４の一方は、その内輪４Ｂがシャフト部材２の軸部２Ａに外嵌されてフランジ部２Ｂに当接した状態で軸部２Ａに接着によって固定されている。他方の玉軸受４は、フランジ部２Ｂに当接する一方の玉軸受４との間にスペーサ３を挟んでシャフト部材２の軸部２Ａの先端部に外嵌され、軸方向に所定の荷重を付与した状態でシャフト部材２の軸部２Ａに接着によって固定されている。これにより、一対の玉軸受４に所定の予圧が付与される。また、シャフト部材２の軸部２Ａの先端部に取付けられたシールプレート７は、シャフト部材２の軸部２Ａの先端側の玉軸受４の端部の近傍に配置されて、その外輪４Ａの外周部付近まで延びており、シールプレート７と玉軸受４のシール部材８とでラビリンスシールを形成して玉軸受４のシール性を高めている。
【００１６】
導電手段５は、シャフト部材２の軸部２Ａとスペーサ３との間の環状空間Ｓにおいて、軸部２Ａの外周部に周方向に沿って形成された環状の保持溝９と、保持溝９内に注入された導電性磁性流体１０と、導電性磁性流体１０を保持溝９内で保持するための永久磁石１３と、スペーサ３の内周部から径方向内側に突出して保持溝９内の導電性磁性流体１０中に挿入される突出部である棒状の導電ピン１１とを備えている。
【００１７】
次に、導電手段５の更に具体的な構成について、主に図２を参照して説明する。
図２に示すように、シャフト部材２の軸部２Ａとスペーサ３との間の環状空間Ｓにおいて、シャフト部材２の軸部２Ａには、一対のワッシャ１２が軸方向に沿って所定の間隔を持って外嵌されて固定されている。一対のワッシャ１２の間には、軸部２Ａに外嵌された環状の永久磁石１３が固定されている。永久磁石１３の外径は、一対のワッシャ１２よりも小さく、永久磁石１３の外周部の一対のワッシャ１２の間に環状の保持溝９が形成されている。一対のワッシャ１２は、シャフト部材２の軸部２Ａに圧入されて固定されており、永久磁石１３は、一対のワッシャ１２間に挟持されて固定されている。
【００１８】
永久磁石１３は、軸方向の両端部がそれぞれＳ極及びＮ極となるように着磁されている。一対のワッシャ１２は、磁性体であり、ヨークとして作用して、永久磁石１３の磁力により、導電性磁性流体１０を保持溝９内で保持する。このとき、永久磁石１３、一対のワッシャ１２及び保持溝９内の導電性磁性流体１０を通して閉じた磁路が形成されるので、保持溝９内の導電性磁性流体１０の磁力による保持力を高めることができる。
導電性磁性流体１０は、強磁性微粉末を油性又は水性溶媒中に界面活性剤等により安定的に分散させたコロイド状の機能性流体であり、強磁性及び導電性を有するものである。
【００１９】
円筒状のスペーサ３の側壁には、導電性磁性流体１０を保持する保持溝９に対向させて開口部１４が貫通されている。開口部１４は、ネジ部１４Ａを有するネジ孔となっており、蓋部材１５がねじ込まれて閉塞されている。開口部１４に取付けられた蓋部材１５には、導電ピン１１が固定されている。導電ピン１１は、スペーサ３から径方向内側に突出して、保持溝９内に保持された導電性磁性流体１０中に適当な深さで常時、挿入されている。導電ピン１１の先端部と、保持溝９の底部を形成する永久磁石１３の外周部との間には隙間が設けられている。
【００２０】
なお、蓋部材１５の開口部１４へ取付けは、図２（Ａ）に示すネジ結合に限らず、他の公知の取付手段を用いてもよく、例えば、図２（Ｂ）に示すように、開口部１４のネジ部１４Ａを省略して蓋部材１５を開口部１４に接着により取付けるようにしてもよい。
【００２１】
そして、シャフト部材２、スペーサ３、導電性磁性流体１０、導電ピン１１、ワッシャ１２及び蓋部材１５は、いずれも導体であり、図２（Ａ）中に矢印Ｅで示すように、これらの各部材を通してシャフト部材２側とスペーサ３側との間が電気的に接続されている。
なお、ワッシャ１２に代えて、あるいは、これに加えて永久磁石１３を導体として、シャフト部材２と導電性磁性流体１０と間を電気的に接続するようにしてもよい。導体とした永久磁石１３とシャフト部材２との間が電気的に接続されれば、ワッシャ１２のシャフト部材２への取付けは、圧入に代えて接着としてもよい。
【００２２】
次に、導電性軸受装置１の組立方法について、図３を参照して説明する。
図３（Ａ）に示すように、先ず、シャフト部材２の軸部２Ａに、一方の玉軸受４の内輪４Ｂを嵌め込んでフランジ部２Ｂに当接させた状態で軸部２Ａに接着する。そして、一対のワッシャ１２間に永久磁石１３を挟んでワッシャ１２をシャフト部材２の軸部２Ａに圧入し、一対のワッシャ１２及び永久磁石１３を軸部２Ａに固定して、保持溝９を形成する。
【００２３】
次に、図３（Ｂ）に示すように、シャフト部材２の軸部２Ａにスペーサ３及び他方の玉軸受４を嵌め込み、軸方向に所定の荷重を付与した状態で、他方の玉軸受４の内輪４Ｂを軸部２Ａに接着して固定し、一対の玉軸受４に予圧を付与する。そして、スペーサ３の開口部１４から、保持溝９内に導電性磁性流体１０を注入する。
【００２４】
次に、図３（Ｃ）に示すように、スペーサ３の開口部１４に蓋部材１５を取付けて、導電ピン１１を保持溝９内の導電性磁性流体１０中に挿入する。
このようにして、導電性軸受装置１を組み立てることができる。このとき、導電性軸受装置１は、図２（Ｂ）に示すサブアセンブリ状態において、外部からアクセス可能なスペーサ３の開口部１４を通して保持溝９内に導電性磁性流体１０を注入することができるので、効率よく容易に組立てることができる。
【００２５】
以上のように構成した導電性軸受装置１の作用について次に説明する。
導電性軸受装置１は、シャフト部材２と一対の玉軸受４の外輪４Ａ及びスペーサ３との間を玉軸受４の転動体４Ｃによって相対回転可能に支持し、一対の玉軸受４に予圧を付与することにより、支持精度を高めている。また、導電手段５によりシャフト部材２側とスペーサ３側との間を電気的に接続することができる。このとき、導電手段５は、保持溝９内に保持した導電性磁性流体１０に導電ピン１１を常時挿入して電気的接続を行うので、安定した導電性を得ることができる。また、導電性磁性流体１０は、一対のワッシャ１２をヨークとして永久磁石１３の磁力により保持溝９内に保持されるので、保持性が高まり、漏洩を効果的に抑制することができる。
【００２６】
導電性軸受装置１は、比較的重量の大きい一対のワッシャ１２、永久磁石１３及び導電性磁性流体１０がシャフト部材２側に配置され、比較的軽量の導電ピン１１がスペーサ３側に配置されているので、特に、シャフト部材２を固定側とし、スペーサ３側を回転側として使用する場合、回転側の慣性質量を小さくすることができる。また、保持溝９内に保持された導電性磁性流体１０に回転による遠心力が作用しないので、導電性磁性流体１０を確実に保持することができる。
【００２７】
なお、上記実施形態では、スペーサ３の開口部１４及び蓋部材１５は、１つのみ設けられているが、複数設けてもよく、この場合、回転バランスを考慮して、周方向に等間隔で配置するとよい。永久磁石１３は、環状でなくてもよく、保持溝９内で導電性磁性流体１０を保持する磁界を発生させることができれば、他の形状でもよく、例えば、複数の永久磁石片を環状に配置したものでもよい。保持溝９は、シャフト部材２の軸部２Ａに一体に形成する等、他の態様でもよい。更に、保持溝９は、シャフト部材２とスペーサ３との回転角度（回動範囲）が限定されている場合、環状溝でなくてよく、円周方向の一部に亘って設けられていてもよい。また、一対の玉軸受４の代わりに他の公知の軸受を用いてもよい。
【００２８】
次に、上記実施形態の変形例について、図４を参照して説明する。
なお、以下の説明において、上記実施形態に対して、同様の部分には同じ参照符号を用いて、異なる部分についてのみ詳細に説明する。
【００２９】
本変形例に係る導電性軸受装置２０では、スリーブ部材としてスペーサ３の代わりにスリーブ２１が設けられている。スリーブ２１は、円筒状で内周面が段付形状となっており、両端の内周部に大径部２１Ａが形成され、中央の内周部に小径部２１Ｂが形成されている。そして、スリーブ２１は、両端の大径部２１Ａが外輪４Ａに外嵌され、中央の小径部２１Ｂの両端面が外輪４Ａの端部に当接するように一対の玉軸受４の間に取付けられている。
【００３０】
これにより、上記実施形態の導電性軸受装置１では、一対の玉軸受４の外輪４Ａが支持すべき部材に直接結合されるのに対して、本件変形例に係る導電性軸受装置２０では、スリーブ２１が支持すべき部材に結合される。そして、本変形例の導電性軸受装置２０は、上記実施形態の導電性軸受装置１と同様の作用効果を奏することができる。
【００３１】
次に、図４に示す変形例に係る導電性軸受装置２０が組込まれたハードディスクドライブについて、図５及び図６を参照して説明する。
図６に示すように、ハードディスクドライブ３０は、スピンドルモータ３２によって回転する複数の磁気ディスク３３と、これらの磁気ディスク３３にそれぞれ対向する複数の磁気ヘッド３４を担持するスイングアーム３５を備えたヘッドスタックアセンブリ３６と、スイングアーム３５を駆動するアクチュエータ３７と、これらの機器を制御する制御回路３８と、これらの部品を収容するケース３１に複数のビス３９によって取付けられるカバー４０と、を備えている。そして、磁気ディスク３３を回転させ、スイングアーム３５の回動によって磁気ヘッド３４を走査方向に移動させて、磁気ディスク３３に情報を記録し、また、磁気ディスク３３から情報を読み出す。
【００３２】
図５に示すように、ヘッドスタックアセンブリ３６には、複数のスイングアーム３５が取付けられる、いわゆるＥブロック４１を回動可能に支持するピボットアセンブリとして、図４に示す導電性軸受装置２０が組込まれている。Ｅブロック４１は、略円筒状で、その外周部が複数のスイングアーム３５をそれぞれ支持する複数の溝部４１Ａを有する櫛形に形成されている。Ｅブロック４１は、導電性軸受装置２０のスリーブ２１の外周部に取付けられる。Ｅブロック４１が取付けられた導電性軸受装置２０のシャフト部材２は、ビス３９によってカバー４０と共にケース３１に固定される。これにより、Ｅブロック４１は、導電性軸受装置２０によってケース３１に対して回動可能に支持される。このように、ヘッドスタックアセンブリ３６のピボットアセンブリとして導電性軸受装置２０を用いることにより、磁気ヘッド３４に帯電する電荷を導電手段５によりシャフト部材２を介してケース３１に逃がすことができる。
【００３３】
次に、本発明の第２実施形態について、図７を参照して説明する。
なお、以下の説明において、図４に示す実施形態（変形例）に対して、同様の部分には、同じ参照符号を用いて、異なる部分についてのみ詳細に説明する。
【００３４】
図７に示すように、本実施形態に係る導電性軸受装置５０では、導電手段５１として、シャフト部材２の軸部２Ａとスペーサ３との間の環状空間Ｓにおいて、スリーブ２１に保持溝５２及び永久磁石５３が設けられ、シャフト部材２に導電ピン５４が設けられている。一対のワッシャ５５は、スリーブ２１の小径部２１Ｂの内周に圧入され、一対のワッシャ５５の間に、小径部２１Ｂ内に挿入された環状の永久磁石５３が挟持されて固定されている。永久磁石５３の内径は、一対のワッシャ５５の内径よりも大きく、永久磁石５３の内周部の一対のワッシャ５５の間に保持溝５２が形成されて、保持溝５２内に導電性磁性流体１０が保持されている。
【００３５】
円筒状のシャフト部材２の軸部２Ａの側壁には、導電性磁性流体１０を保持する保持溝５２に対向させて開口部５６が貫通されている。開口部５６は、蓋部材５７が取付けられて閉塞されている。蓋部材５７には、導電ピン５４が固定されている。導電ピン５４は、シャフト部材２の軸部２Ａから径方向外側に突出して、保持溝５２内に保持された導電性磁性流体１０中に、適当な深さで常時挿入されている。
【００３６】
これにより、導電手段５１を構成する導電性磁性流体１０、導電ピン５４、ワッシャ５５及び蓋部材５７を介して、シャフト部材２側とスリーブ２１側との間を電気的に接続することができ、図４に示す実施形態と同様の作用効果を奏することができる。また、導電性軸受装置５０は、図３に示す工程と同様の工程で効率よく容易に組立てることができる。
【００３７】
この場合、導電性軸受装置５０は、比較的重量の大きい一対のワッシャ５５、永久磁石５３及び導電性磁性流体１０がスリーブ２１側に配置され、比較的軽量の導電ピン５４がシャフト部材２側に設けられているので、特に、スリーブ２１を固定側とし、シャフト部材２を回転側として使用する場合、回転側の慣性質量を小さくすることができる。また、保持溝５２内に保持された導電性磁性流体１０に回転による遠心力が作用しないので、導電性磁性流体１０を確実に保持することができる。
【符号の説明】
【００３８】
１，２０，５０…導電性軸受装置、２…シャフト部材、３…スペーサ（スリーブ部材）、４…玉軸受（軸受）、５，５１…導電手段、９，５２…保持溝、１０…導電性磁性流体、１１，５４…導電ピン（突出部）、１２，５５…ワッシャ、１３，５３…永久磁石、１４，５６…開口部、１５，５７…蓋部材、２０…導電性軸受装置（ハードディスク用ピボットアセンブリ）、２１…スリーブ（スリーブ部材）、３０…ハードディスクドライブ、３３…磁気ディスク、３４…磁気ヘッド、３５…スイングアーム
【図１】
2018159400.tif 000003
【図２】
2018159400.tif 000004
【図３】
2018159400.tif 000005
【図４】
2018159400.tif 000006
【図５】
2018159400.tif 000007
【図６】
2018159400.tif 000008
【図７】
2018159400.tif 000009